(57)【要約】  ガラス板２を真空吸着固定する水平のテーブル３と、ガイドレール４、４に沿ってテーブル３をスクライブ数値制御移動させる送りネジ５及びＹ軸制御モータ６と、Ｘ軸方向に沿ってテーブル３の上方に架設されたガイドレール装置体７と、ガイドレール装置体７へＸ軸方向にガイドされて移動するように取付けられたキャリッジ８と、キャリッジ８をＸ軸方向に数値制御移動させる送りネジ及びＸ軸制御モータ９と、キャリッジ８に装置されたスクライブヘッド１０とを備える。
2010116421.tif 000002
【特許請求の範囲】
【請求項１】
スクライブ開始にあたって、スクライブ開始点に、先ずクボミを刻み形成し、このクボミ内からスクライブをスタートするようにしたガラス板のスクライブ方法。
【請求項２】
スクライブ開始にあたって、先ずスクライブ開始点にカッターホイールをガラス板に圧接した状態で、カッターホイールを回動又は揺動させて、上記開始点にクボミを刻み形成した後、このクボミ内よりスクライブをスタートするようにしたガラス板のスクライブ方法。
【請求項３】
スクライブ開始にあたって、カッターホイールとは別に設けたダイヤモンドスクライブスタイラスを先ず、スクライブ開始点に圧接した状態で回動又は揺動させてクボミを刻み形成し、次にこの形成されたクボミにカッターホイールを圧接し、このクボミ内よりスクライブをスタートさせるようにしたガラス板のスクライブ方法。
【請求項４】
カッターホイールを備え、このカッターホイールをガラス板に圧接した状態で転動させてスクライブラインを刻み形成するようにしたスクライブヘッドと、ダイヤモンドスクライブスタイラスを備え、このダイヤモンドスクライブスタイラスをガラス板に圧接してクボミを刻み形成するダイヤモンドスタイラス装置とを、備えたスクライブ装置。
【発明の詳細な説明】
【技術分野】
【０００１】
本発明は、ガラス板上にカッターホイールを圧力をかけて転動させて、ガラス板にスクライブラインを刻み形成するガラス板のスクライブ方法及びスクライブ装置に関する。
【背景技術】
【０００２】
【特許文献１】特開平９−１８８５３４号
【０００３】
プラズマテレビのガラス板液晶ガラス基板などＦＰＤ用ガラス板は、ガラス板の表面硬度が高く、スクライブ（切線刻み形成）する際に、カッターホイールの上滑り（スリップ）が非常に起きやすい。現在、このスリップ防止技術として、特開平９−１８８５３４号が知られている。【０００４】
この特許文献１は、カッターホイールのスリップを防止するため、カッターホイールの外周に突起が形成されており、カッターホイールの転動時に、上記突起をガラス板に食込ませてスリップの防止を図ったものである。
【発明の開示】
【発明が解決しようとする課題】
【０００５】
上記技術は、ガラス板表面への食込みを改善しようとしているものであるが、いかなる方法であっても、スクライブ開始点から有効な垂直クラックを得るスクライブラインの刻み形成は困難である。スクライブラインに沿って曲げ応力を加えて折割すると、スクライブ開始点及びその近傍において、垂直クラックの途切れからソゲ等の発生がし易いものである。【０００６】
そこで、本発明はスクライブ開始点から有効な垂直クラックが連続して発生するようにしたガラス板のスクライブ方法及びスクライブ装置を提供しようとしたものである。
【課題を解決するための手段】
【０００７】
本発明は、スクライブ開始にあたって、開始点に先ず、クボミを刻み形成し、このクボミ内からスクライブをスタートするようにしたガラス板のスクライブ方法である。【０００８】
本発明は、スクライブ開始にあたって、先ず、スクライブ開始点にカッターホイールをガラス板に圧接した状態で、カッターホイールを微小回動また微小揺動させて、上記開始点にクボミを刻み形成した後、このクボミ内よりスクライブをスタートするようにしたガラス板のスクライブ方法である。【０００９】
更に、本発明は、スクライブ開始にあたって、カッターホイールとは別に設けたダイヤモンスタイラスを開始点に伸長、圧接してクボミを形成し、次にカッターホイールをこのクボミに降下させ、このクボミ内よりスクライブをスタートさせるようにしたガラス板のスクライブ方法である。【００１０】
更にまた、本発明は、カッターホイールを備え、このカッターホイールのガラス板に圧接した状態で転動させてスクライブラインを刻み形成するようにしたスクライブヘッドと、ダイヤモンドスクライブスタイラスを備え、このダイヤモンドスクライブスタイラスをガラス板に圧接してクボミを刻み形成するダイヤモンドスタイラス装置とを備えたスクライブ装置である。【００１１】
尚、上記クボミの大きさ（径）はスクライブラインの太さに等しいか、または小さく形成されるのが好ましいが、スクライブラインの太さよりも大きくしてもよい。
【発明の効果】
【００１２】
スクライブ開始にあたって、先ず開始点にクボミを刻み形成し、次に、このクボミ内からカッターホイールをスクライブスタートさせるため、開始点から有効な垂直クラックが連続して発生する。このため、開始点を含めたスクライブライン全体に渡って良質な折割が得られる。【００１３】
また、カッターホイールがクボミ内からスタートするため、クボミのセンターとスクライブラインが一致する。
【図面の簡単な説明】
【００１４】
【図１】本発明に係るスクライブ方法の一例を実施中の一例のスクライブ装置の概略正面図である。
【図２】図１に示したスクライブ装置において本発明に係るスクライブ方法を実施中の説明図である。
【図３】本発明のスクライブ方法に係るスクライブラインの一例を平面をもって説明した説明図である。
【図４】本発明に係るスクライブ方法によるスクライブ要部の断面説明図である。
【図５】本発明に係るスクライブ方法の他の例を実施中の他の例のスクライブ装置の概略正面図である。
【図６】図５に示す本発明のスクライブ方法を実施中のスクライブ装置のスクライブヘッド及びダイヤモンドスタイラス装置の正面図である。
【図７】本発明に係る更に他の例のスクライブ方法を実施中の更に他の例のスクライブ装置の概略正面図である。
【図８】スクライブ装置でもあるガラス板の切断装置において、本発明に係るスクライブ方法の他の例を実施中のガラス板の切断装置の概略平面図である。
【図９】図８に示す本発明のスクライブ方法を実施中のカッターヘッドの正面図である。
【発明を実施するための最良の形態】
【００１５】
以下、本発明の実施の形態を図面を参照して説明する。もちろん、本発明のスクライブ方法はスクライブヘッド及びスクライブ装置において、実施されるものであるため、スクライブ装置についての実施形態をもって本発明のスクライブ方法を説明する。【００１６】
第一実施形態
図１はスクライブ装置の一例を示すと共に本発明スクライブ方法の一部を示す概略正面図。【００１７】
図２から図４は、本発明スクライブ方法の説明図である。       【００１８】
スクライブ装置１は、図において左右方向をＸ軸方法、紙面に真交する方向をＹ軸方向とする。【００１９】
このスクライブ装置１は、ガラス板２を載置し、真空吸着固定する水平のテーブル３と、このテーブル３をＹ軸方向に水平移動するようにガイドして支持する平行な一対のガイドレール４、４と、このガイドレール４、４に沿ってテーブルをスクライブ数値制御移動させる送りネジ５及びＹ軸制御モータ６と、Ｘ軸方向に沿ってテーブル３の上方に架設されたガイドレール装置体７と、このガイドレール装置体７へＸ軸方向にガイドされて移動するように取付けられたキャリッジ８と、このキャリッジ８をＸ軸方向に数値制御移動させる送りネジ及びＸ軸制御モータ９と、キャリッジ８の前面に装置されたスクライブヘッド１０とを備える。【００２０】
スクライブヘッド１０は、下端にカッターホイールホルダ１１を備えたスプライン軸１２と、このスプライン軸１２を上下動自在にして、回転もされるように中心に保持するロータリスプライン装置１３とスプライン軸１２の上端にフリー回転継手１４を介して連結したエーアシリンダ装置１５とを備える。【００２１】
もちろんエーアシリンダ装置１５の本体はキャリッジ８に取付けられ、ピストンロッド１６が上記スプライン軸１２に上記フリー回転継手１４を介してスプライン軸１２に連結されている。【００２２】
上記カッターホイールホルダ１１には、カッターホイール１７を備える。もちろん、カッターホイール１７の軸芯は上記スプライン軸１２の軸芯に対して偏心（進向に対して後方に）して設けられている。【００２３】
ロータリスプライン装置１３に保持されたスプライン軸１２はエーアシリンダ装置１５によってロータリスプライン装置１３内をＺ軸方向（ガラス板２面に対して垂直方向）に上下動される。かつ、スクライブ時には、カッターホイール１７に対してガラス板２面と直角方向にエーア圧力が与えられる。また、【００２４】
スプライン軸１２はロータリスプライン装置１３により回転駆動される。【００２５】
ロータリスプライン装置１３の側方に角度制御モータ１９が設けられている。【００２６】
ロータリスプライン装置１３には、上記スプライン軸１２を回転する駆動ギア２０を備え、この駆動ギア２０が角度制御モータ１９に取付けたギア２１とかみ合せ連結されて、この角度制御モータ１９によりスプライン軸１２、至いてはカッターホイール１７が角度制御回転される。即ち、カッターホイール１７の刃面がスクライブ方向に向くように角度制御される。【００２７】
本スクライブ装置１によって実施される本発明のスクライブ方法第１実施形態を以下に説明する。【００２８】
カッターホイール１７にエーア圧力を加えながら転動させてスクライブラインを刻み形成する動作に入る直前度毎に、スクライブ開始点Ａに、先ずカッターホイール１７を降下し、圧接し、この圧接状態でカッターホイール１７を微小に回動又は揺動して、この開始点ＡにクボミＢを刻み形成する。図１から図４に示すように、このクボミＢ内からカッターホイール１７を圧接状態でスクライブスタートをさせて、クボミＢから発した連続したスクライブラインＣを刻み形成する。即ち、【００２９】
スクライブラインＣを形成する度毎に、その開始点ＡにクボミＢを刻み形成し、このクボミＢからスクライブをスタートさせる方法である。【００３０】
尚、上記クボミＢの大きさ（径）は、スクライブラインＣの太さに等しいか、または小さくする。図３には、説明のためクボミを大きく描いてある。【００３１】
このように、開始点Ａに刻み形成したクボミＢ内からスクライブを行うことにより、開始点Ａからのカッターホイールの上滑り（スリップ）が発生せず、クボミ（開始点Ａ）から連続した垂直クラックを発生させることができ、良質な折割が得られる。【００３２】
また、カッターホイール１７がクボミＢからスタートするため、クボミＢのセンターとスクライブラインＣが一致する。【００３３】
第２実施形態
図５は、本第２実施形態を実施するスクライブ装置の一例を示す概略正面図。【００３４】
図６はスクライブ装置２２のスクライブヘッド２３を示し、スクライブ方法の一部を示す正面図である。【００３５】
スクライブ装置２２は、図において、左右方向をＸ軸方向、紙面に直交する方向がＹ軸方向である。【００３６】
このスクライブ装置２２は、スクライブヘッド２３を取付けたキャリッジ２４の前面に、このスクライブヘッド２３と並んでダイヤモンドスタイラス装置２５を備える。【００３７】
このダイヤモンドスタイラス装置２５は、スクライブ開始に際して、ガラス板２へのクボミＢの刻み形成を専用にするものである。さて、本実施形態におけるスクライブ装置２２は、載置されたガラス板２を真空吸着して固定し、水平回転するテーブル２６と、このテーブル２６をＹ軸方向に水平移動するようにガイド支持する平行な一対のガイドレール２７、２７と、このガイドレール２７、２７に沿ってテーブル２６を数値制御移動させる送りネジ２８及びＹ軸制御モータ２９と、Ｘ軸方向に沿ってテーブル２６の上方に架設されたガイドレール装置体３０と、このガイドレール装置体３０へＸ軸方向にガイドされて移動するように取付けられたキャリッジ２４と、このキャリッジ２４をＸ軸方向に数値制御移動させる送りネジ及びＸ軸制御モータ３１と、キャリッジ２４の前面に装置されたスクライブヘッド２３と、同じくキャリッジ２４の前面においてスクライブヘッド２３の側方に並んで設けられた上記ダイヤモンドスタイラス装置２５とを備える。スクライブ装置２２では、上記スクライブヘッド２３には、カッターホイール３２をガラス板２に垂直な軸の回わりに回転させる角度制御装置は備えていない。ガイドレール装置体３０に沿ったＸ軸方向のスクライブを行う。【００３８】
もちろん、このスクライブヘッド２３もまた、カッターホイール３２をガラス板２にエーア圧力をもって圧接した状態で転動させ、スクライブラインを刻み形成する。即ち、スクライブヘッド２３は、キャリッジ２４前面に取付けたスライドブッシュ体３３と、このスライドブッシュ体３３により上下動自在に保持された上下動体３４と、この上下動体３４の下端に備えたカッターホイールホルダ３５と、上記上下動体３４の上端に連結されたエーアシリンダ装置３６とを備える。【００３９】
そして、上記カッターホイールホルダ３５にはカッターホイール３２を備える。もちろん、上下動体３４の上端はエーアシリンダ装置３６のピストンロッド３７に連結されている。【００４０】
上下動体３４はエーアシリンダ装置３６によって上下動され、スクライブ時に、カッターホイール３２は上下動体３４を介してエーアシリンダ装置３６から圧力を受けてガラス板２に圧接され、キャリッジ２４の移動と共に転動してスクライブが行われる。【００４１】
一方、ダイヤモンドスタイラス装置２５は、キャリッジ２４の前面に取付けた中空シャフトを備えたＤＤモータ３８と中空シャフト内にスライド自在に保持され、回転駆動を受けるスプライン軸３９と、このスプライン軸３９の下端に設けられたダイヤモンドスクライブスタイラス４０と、このスプライン軸３９の上端にフリー回転継手４１を介して連結したエーアシリンダ装置４２とからなり、エーアシリンダ装置４２はそのピストンドロッド４３が上記スプライン軸３９に連結されている。【００４２】
上記ダイヤモンドスタイラス装置２５の動作は、エーアシリンダ装置４２によってスプライン軸３９がガラス板２に向って伸長し、先端のダイヤモンドスクライブスタイラス４０をガラス板２に圧接すると共に、ＤＤモータ２８を駆動させて先端のダイヤモンドスクライブスタイラス４０を微小に回転させることによりクボミＢを形成する。【００４３】
尚、上記エーアシリンダ装置４２による上下動の代りに、ダイヤモンドスクライブスタイラス４０をまたはダイヤモンドスタイラス装置２５全体をリニアモータ又はサボモータで上下動させてもよい。【００４４】
本スクライブ装置２２によって実施されるスクライブ方法を以下に説明する。【００４５】
ガラス板２へのスクライブラインの刻み形成の度毎において、そのスクライブ開始に際して、先ず、ダイヤモンドスタイラス装置２５をスクライブ開始点Ａに位置合せさせ、このダイヤモンドスタイラス装置２５を動作させる。スプライン軸３９を伸長させて、先端のダイヤモンドスクライブスタイラス４０を開始点Ａに圧接させて、このダイヤモンドスクライブスタイラス４０を微小回転、また揺動させることにより、この開始点ＡにクボミＢを刻み形成する。【００４６】
クボミＢの形成と同時に、そのダイヤモンドスクライブスタイラス４０を引込める。次に、クボミＢ形成された位置（開始点Ａ）に代って、カッターホイール３２を移動し、位置合せさせ、そのカッターホイール３２を伸長させて、クボミＢ内に圧接させる。この状態、このクボミＢ内からスクライブをスタートして、クボミＢから連続してスクライブラインＣを刻み形成する。【００４７】
尚また、上記クボミＢの大きさ（径）は、通常スクライブラインＣの太さに等しいか、または小さくするが、大きくしてもよい。【００４８】
第３実施形態
図７は、本第３実施形態を実施するスクライブ装置４５の一例を示す概略正面図である。【００４９】
本実施例のスクライブ装置４５は、カッターホイール４６を備え、このカッターホイール４６をガラス板２に圧接した状態で転動させてスクライブラインＣを刻み形成するスクライブヘッド４７と、ガラス板２にクボミＢの刻み形成を専用に行うダイヤモンドスタイラス装置４８とを互いに独立させ、それぞれ別々のキャリッジ４９、５０に取付けたものである。【００５０】
それぞれのキャリッジ４９、５０はテーブル５１の上方に架設のガイドレール装置体５２に独立して取付けられ、互いに相手に対して独立して移動するようになっている。即ち、スクライブヘッド４７とダイヤモンドスタイラス装置４８とは、互いに相手に対して独立して移動する。【００５１】
また、スクライブヘッド４７とダイヤモンドスタイラス装置４８とのそれぞれの構造及び動作は、前記第２実施形態に示したスクライブ装置２２のスクライブヘッド２３、ダイヤモンドスタイラス装置２５の構造動作と同じものでもよい。【００５２】
スクライブ装置４５は、また第２実施形態のものと同じように、載置されたガラス板２を真空吸着して固定し、水平回転するテーブル５１と、このテーブル５１をＹ軸方向に水平移動するようにガイド支持する平行な一対のガイドレール５３、５３と、このガイドレール５３、５３に沿ってテーブル５１を数値制御移動させる送りネジ５８及びＹ軸制御モータ５４と、Ｘ軸方向に沿ってテーブル５１の上方に架設されたガイドレール装置体５２と、このガイドレール装置体５２へＸ軸方向にガイドされて移動するように取付けられたＺ基のキャリッジ４９、５０と、一方のキャリッジ４９をＸ軸方向に数値制御移動させる送りネジ及び一方のＸ軸制御モータ５５と、他方のキャリッジ５０を同じくＸ軸方向に数値制御移動させる送りネジ及び他方のＸ軸制御モータ５６と、一方のキャリッジ４９の前面に装置された前記スクライブヘッド４７と、他方のキャリッジ５０の前面に装置された前記ダイヤモンドスタイラス装置４８とを備える。【００５３】
もちろん、ダイヤモンドスタイラス装置４８は第２実施形態におけるダイヤモンドスタイラス装置２５と同じように、先端にダイヤモンドスクライブスタイラス５７を備え、このダイヤモンドスクライブスタイラス５７がガラス板２に向って伸長し、圧接して、微小回転、また微小揺動してクボミＢを刻み形成するようになっている。【００５４】
本スクライブ装置４５によって実施されるスクライブ方法を以下に説明する。【００５５】
ガラス板２へのスクライブラインの刻み形成の度毎において、そのスクライブ開始に際して、先ず、ダイヤモンドスタイラス装置４８がスクライブ開始点Ａへ移動し、位置合せし、直にこのダイヤモンドスタイラス装置４８が動作し、開始点ＡにクボミＢを刻み形成する。クボミＢが形成されると直ちに、ダイヤモンドスタイラス装置４８は元の位置に復帰する。次に代わって、スクライブヘッド４７がこのクボミＢ（開始点Ａ）形成位置に移動、位置合せし、そのカッターホイール４６を伸長させてクボミＢ内に圧接させる。この状態、クボミＢ内からスクライブをスタートさせ、クボミＢから連続したスクライブラインＣを刻み形成する。【００５６】
もちろん、上記クボミＢの大きさ（径）は、スクライブラインＣの太さに等しいか、または小さくするが、スクライブラインより大きくてしてもよい。【００５７】
第４実施形態
図８、図９には、本発明の第４実施形態を実施するガラス板のスクライブ装置でもあるＮＣ制御の切断装置６０が示されている。【００５８】
このガラス板の切断装置６０は、カッターホイール６１を備えたキャリッジ６２が平面座標系をＮＣ制御されて移動する。従ってカッターホイール６１は、直交座標系においてＮＣ制御されて移動する。【００５９】
図８に示されるように、基台６３上にＸ軸に沿ってガイドレール６４、６４が設けられ、このガイドレール６４、６４によって移動台６５がＸ軸方向に移動され、更に、この移動台６５にはＹ軸に沿ったガイドレール６６、６６が設けられ、このガイドレール６６、６６によって上記キャリッジ６２がＹ軸方向に移動自在である。移動台６５はＸ軸制御モータ６７及びかみ合いラック装置また送りネジによってＸ軸方向に数値制御されて移動される。【００６０】
移動台６５上のキャリッジ６２はＹ軸制御モータ６８及びかみ合いラック装置また送りネジにより、Ｙ軸方向へ数値制御移動される。【００６１】
従って、キャリッジ６２は、Ｘ軸方向及びＹ軸方向に位置制御され、キャリッジ６２に取付けられたカッターホイール６１は予め記憶された運動軌跡を移動する。以下、図９に示すように、キャリッジ６２の前面には、スクライブヘッドでもあるカッターヘッド６９が装置されている。【００６２】
カッターヘッド６９は下端にカッターホイールホルダ７０を備えたスプライン軸７１と、このスプライン軸７１を上下動自在にして、回転もされるように中心に保持するロータリスプライン装置７２とスプライン軸７１の上端にフリー回転継手７３を介して連結したエーアシリンダ装置とを備える。もちろん、エーアシリンダ装置７４の本体はキャリッジ６２に取付けられ、ピストンロッド７５が上記スプライン軸７１に上記フリー回転継手７３を介してスプライン軸７１に連結されている。【００６３】
上記カッターホイールホルダ７０にはカッターホイール６１を備える。もちろん、カッターホイール６１の軸芯は上記スプライン軸７１の軸芯に対して偏心（進向に対して後方）して設けられている。【００６４】
ロータリスプライン装置７２に保持されたスプライン軸７１はエーアシリンダ装置７４によってロータリスプライン装置７２内をＺ軸方向（ガラス板２面に対して垂直方向）に上下動される。【００６５】
かつ、スクライブ時には、カッターホイール６１に対してガラス板２面と直角方向にエーア圧力が与えられる。また、スプライン軸７１はロータリスプライン装置７２により回転駆動される。ロータリスプライン装置７２の側方に角度制御モータ７６が設けられている。【００６６】
ロータリスプライン装置７２には、上記スプライン軸７１を回転する駆動ギア７７を備え、この駆動ギア７７が角度制御モータ７６に取付けたギア７８とかみ合せ連結されて、この角度制御モータ７６によりスプライン軸７１至いてはカッターホイール６１が角度制御回転される。【００６７】
即ち、カッターホイール６１の刃面がスクライブ方向に向くように角度制御される。ガラス板２は基台６３に設けられたテーブル７９に載置され、かつ、必要に応じて吸着固定される。【００６８】
本切断装置１によって実施される本発明のスクライブ方法を以下に説明する。【００６９】
カッターホイール６１にエーア圧力を加えながら転動させてスクライブラインを刻み形成する動作に入る直前度毎に、スクライブ開始点Ａに、先ずカッターホイール６１を降下し、圧接し、この圧接状態でカッターホイール６１を微小に回動又は揺動して、この開始点ＡにクボミＢを刻み形成する。次に、このクボミＢ内からカッターホイールを圧接状態でスクライブスタートさせて、クボミＢから発した連続したスクライブラインＣを刻み形成する。【００７０】
スクライブラインＣを形成する度毎に、その開始点ＡにクボミＢを刻み形成し、このクボミＢからスクライブをスタートさせる方法である。【００７１】
このように、開始点Ａに刻み形成したクボミＢ内からスクライブを行うことにより、開始点Ａからのカッターホイールの上滑り（スリップ）が発生せず、クボミ（開始点Ａ）から連続した垂直クラックを発生させることができ、良質な折割が得られる。【００７２】
また、カッターホイール６１がクボミＢからスタートするため、クボミＢのセンターとスクライブラインＣが一致する。
【図１】
2010116421.tif 000003
【図２】
2010116421.tif 000004
【図３】
2010116421.tif 000005
【図４】
2010116421.tif 000006
【図５】
2010116421.tif 000007
【図６】
2010116421.tif 000008
【図７】
2010116421.tif 000009
【図８】
2010116421.tif 000010
【図９】
2010116421.tif 000011
【国際調査報告】
2010116421.tif 000012
2010116421.tif 000013